(57)【要約】【課題】操作面を視認することなく所望の機能を選択できるようにする。【解決手段】操作面における接触操作による接触位置を検出するタッチスイッチ２１と、タッチスイッチ２１によって第１の接触位置が検出されたときに、第１の接触位置を基準点として記憶手段に記憶させるとともにタッチスイッチ２１と別体で設けられた表示デバイス１０に機能を選択するための操作方向を示す情報を表示させ（Ｓ１０２、Ｓ１０４）、基準点と表示デバイス１０への表示の後にタッチスイッチ２１によって検出される第２の接触位置から操作方向を確定し、確定した操作方向に対応する機能を実施する（Ｓ１０８〜Ｓ１１２）。【選択図】図３
2008009596.tif 000002
【特許請求の範囲】
【請求項１】
操作面における接触操作による接触位置を検出する入力検出装置と、
前記入力検出装置と別体で設けられた表示装置と、
前記入力検出装置によって第１の接触位置が検出されたときに、前記表示装置の表示部に機能を選択するための操作方向を示す情報を表示させる表示制御手段と、
前記第１の接触位置を基準点として記憶手段に記憶させる基準点設定手段と、
前記記憶手段に記憶された前記基準点と前記表示制御手段による前記表示装置への表示の後に前記入力検出装置によって検出される第２の接触位置から操作方向を確定し、確定した前記操作方向に対応する機能を選択する機能選択手段と、を備えたことを特徴とする入力装置。
【請求項２】
前記表示制御手段は、前記表示装置の表示画面の中央を基準位置として、前記機能を選択するための操作方向を示す情報を表示させることを特徴とする請求項１に記載の入力装置。
【請求項３】
前記表示制御手段による前記表示装置への表示の後に前記入力検出装置によって検出される前記第２の接触位置を前記基準点に再設定する基準点再設定手段を備え、
前記機能選択手段は、前記基準点再設定手段によって再設定された前記基準点と前記表示制御手段による前記表示装置への表示の後に前記入力検出装置によって検出される前記第２の接触位置から操作方向を確定し、確定した前記操作方向に対応する機能を選択することを特徴とする請求項３に記載の入力装置。
【請求項４】
前記第１の接触位置が検出されてから一定時間内に前記第２の接触位置が検出されたか否かを判定する時間判定手段と、
前記時間判定手段によって前記第１の接触位置が検出されてから一定時間内に前記第２の接触位置が検出されないと判定された場合、前記第１の接触位置が検出されるのを待機する待機状態に遷移する待機状態遷移手段と、を備えたことを特徴とする請求項３または４に記載の入力装置。
【請求項５】
前記表示装置は、車両における運転者の前方に設置されるものであることを特徴とする請求項１ないし５のいずれか１つに記載の入力装置。
【請求項６】
前記入力検出装置は、車両における運転者の操作が容易な位置に設置されるものであることを特徴とする請求項１ないし５のいずれか１つに記載の入力装置。
【発明の詳細な説明】
【技術分野】
【０００１】
本発明は、接触操作を受け付ける操作面における接触位置を検出して機能選択の入力操作を行う入力装置に関する。
【背景技術】
【０００２】
従来、表示装置上にタッチパネルを配置しておき、タッチパネルに指が触れた時に、それを検出してその接触した位置に第１のスイッチを表示させるとともに、その第１のスイッチに対し所定の相対位置関係にある箇所に第２のスイッチを表示させるようにして、操作者が比較的ラフにタッチパネルに触れても、スイッチ操作をできるようにしたものがある（例えば、特許文献１参照）。
【特許文献１】特開平１１−２１２７２６号公報
【発明の開示】
【発明が解決しようとする課題】
【０００３】
特許文献１に記載の装置は、表示装置上にタッチパネルが配置されているため、操作者は操作面を視認しながらタッチパネルを操作する必要がある。したがって、例えば、車両の運転者によって操作される入力装置として運転者の手元に配置した場合、運転者は操作時に操作面を視認する必要が生じ、運転者の視線の移動量が大きくなってしまい好ましくない。
【０００４】
本発明は上記点に鑑みたもので、操作面を視認することなく所望の機能を選択できるようにすることを目的とする。
【課題を解決するための手段】
【０００５】
本発明の第１の特徴は、操作面における接触操作による接触位置を検出する入力検出装置と、入力検出装置と別体で設けられた表示装置と、入力検出装置によって第１の接触位置が検出されたときに、表示装置の表示部に機能を選択するための操作方向を示す情報を表示させる表示制御手段と、第１の接触位置を基準点として記憶手段に記憶させる基準点設定手段と、記憶手段に記憶された基準点と表示制御手段による表示装置への表示の後に入力検出装置によって検出される第２の接触位置から操作方向を確定し、確定した操作方向に対応する機能を選択する機能選択手段と、を備えたことである。
【０００６】
このような構成では、第１の接触位置が検出されたときに、表示装置の表示部に機能を選択するための操作方向を示す情報が表示されるので、ユーザは操作面を視認することなく所望の機能を選択するための操作方向を認識することができる。また、基準点設定手段は、第１の接触位置が基準点として記憶手段に記憶し、機能選択手段は、記憶手段に記憶された基準点と表示制御手段による表示装置への表示の後に入力検出装置によって検出される第２の接触位置から操作方向を確定し、確定した操作方向に対応する機能を選択するので、ユーザは操作面を視認することなく表示装置の表示部の表示に従って操作面上で基準点を基準として所望の機能を選択するための操作方向を接触操作して、所望の機能を選択することができる。
【０００７】
また、本発明の第２の特徴は、表示制御手段は、表示装置の表示画面の中央を基準位置として、機能を選択するための操作方向を示す情報を表示させることである。
【０００８】
このような構成では、接触位置が操作面のどの位置であっても、表示装置の表示画面の中央を基準位置として機能を選択するための操作方向を示す情報が表示される。すなわち、ユーザが操作面の中央を意識して操作しなくても、表示装置の表示画面の中央を基準位置として機能を選択するための操作方向を示す情報を表示させることができる。
【０００９】
また、本発明の第３の特徴は、表示制御手段による表示装置への表示の後に入力検出装置によって検出される第２の接触位置を基準点に再設定する基準点再設定手段を備え、機能選択手段は、基準点再設定手段によって再設定された基準点と表示制御手段による表示装置への表示の後に入力検出装置によって検出される第２の接触位置から操作方向を確定し、確定した操作方向に対応する機能を選択することである。
【００１０】
このような構成では、表示装置への表示の後に入力検出装置によって検出される第２の接触位置が基準点に再設定されるので、ユーザは再設定された基準点を基準として次の接触操作を行うことができる。
【００１１】
また、本発明の第４の特徴は、第１の接触位置が検出されてから一定時間内に第２の接触位置が検出されたか否かを判定する時間判定手段と、時間判定手段によって第１の接触位置が検出されてから一定時間内に第２の接触位置が検出されないと判定された場合、第１の接触位置が検出されるのを待機する待機状態に遷移する待機状態遷移手段と、を備えたことである。
【００１２】
このような構成では、第１の接触位置が検出されてから一定時間内に第２の接触位置が検出されない場合、待機状態遷移手段によって待機状態に遷移する。したがって、例えば、機能を選択するための操作方向を示す情報が表示装置の表示画面に表示された状態で操作を中断したくなった場合には、一定時間よりも長い時間、次の接触操作を行わないようにして待機状態に遷移させて、操作を中断させることができる。
【００１３】
また、本発明の第５の特徴は、表示装置が車両における運転者の前方に設置されるものであることである。
【００１４】
このように、表示装置が車両における運転者の前方に設置されるので、運転者の運転中の視線移動量を少なくすることができる。
【００１５】
また、本発明の第６の特徴は、入力検出装置が車両における運転者の操作が容易な位置に設置されるものであることである。
【００１６】
このように、入力検出装置が車両における運転者の操作が容易な位置に設置されるので、運転者は容易に操作を行うことができる。
【発明を実施するための最良の形態】
【００１７】
（第１実施形態）
本発明の第１実施形態に係る入力装置の構成を図１に示す。本入力装置１は、表示デバイス１０と操作デバイス２０によって構成されている。操作デバイス２０は、運転者の手元で操作ができるように車両の運転席と助手席との間のセンターコンソール上に設置され、表示デバイス１０は、運転者の視線移動が少なくなるように運転者の前方のフロントガラスの手前に設置されている。このように表示デバイス１０と操作デバイス２０は別体として設けられており、表示デバイス１０と操作デバイス２０との間は、接続ケーブル（図示せず）を用いて接続されている。
【００１８】
表示デバイス１０は、液晶またはプラズマ等の表示画面を有し、入力される画像情報に応じた画像を表示画面に表示させる。
【００１９】
操作デバイス２０は、タッチスイッチ（後述する図３（ａ）〜（ｅ）に示す）２１およびＣＰＵ、メモリ等を備えた制御部（図示せず）を備えている。
【００２０】
タッチスイッチ２１は、操作面における接触操作による接触位置（Ｘ座標、Ｙ座標）を検出するもので、一般に液晶パネル等の前面にタッチパネルとして設けられているものと同様に、ユーザによるタッチ入力、ドラッグ入力、クリック操作等の操作の検出が可能となっている。なお、本実施形態における操作デバイス２０には、液晶パネル等の表示部は備えてられていない。
【００２１】
本実施形態において、タッチ入力は、操作面へ指を接触させた後、同じ位置(
または近くの位置）で指を離す操作をいい、ドラッグ入力は、操作面へ指を接触させた後、指を操作面に接触させたまま別の位置まで移動させ、この移動させた位置で操作面から指を離してクリック操作する一連の操作をいう。なお、このクリック操作は、予め定められた短時間内に、操作面へ指を接触させて離す操作をいう。
【００２２】
タッチスイッチ２１の操作面は、ユーザが位置を確かめることなく適当に手を出してもタッチ操作ができる程度の面積を有している。
【００２３】
また、操作デバイス２０の制御部のＣＰＵは、メモリに記憶されたプログラムに従って各種処理を実施する。
【００２４】
次に、図２に従って、操作デバイス２０の制御部の処理について説明する。操作デバイス２０の制御部は、イグニッションスイッチがオンしてバッテリから電源が供給されると、図２に示す処理を開始する。
【００２５】
まず、操作面への接触を待機する待機状態となる（Ｓ１００）。本実施形態では、待機状態にてタッチスイッチ２１によって最初に検出された接触位置を基準点としてメモリに記憶させるようになっており、この基準点となる接触位置の検出を待機する待機状態に遷移するとともに、図３（ａ）に示すような待機画面を表示デバイス１０の表示画面に表示させる。なお、既にメモリに基準点を示す情報が記憶されている場合には、メモリから基準点を示す情報を消去する。
【００２６】
ユーザが操作面にてタッチ入力を行うと、すなわち、ユーザが操作面へ指を接触させた後、同じ（または近くの）ところで指を離す操作を行うと、タッチスイッチ２１によってタッチ入力が検出され、タッチスイッチ２１から操作面への接触位置を示す座標を示す情報が入力される。
【００２７】
操作デバイス２０の制御部は、この接触位置を示す座標（Ｘ０、Ｙ０）を基準点として設定する（Ｓ１０２）。具体的には、この接触位置を示す座標（Ｘ０、Ｙ０）を基準点としてメモリに記憶させ、次に、機能のメニュー表示を行う（Ｓ１０４）。ここでは、機能Ａ〜機能Ｄを選択するための操作方向を示すメニュー表示を表示デバイス１０の表示画面に表示させる。
【００２８】
図３（ｂ）は、メニュー表示の表示例を示したもので、表示デバイス１０の表示画面の中央を基準として、左上に機能Ａ、右上に機能Ｂ、左下に機能Ｃ、右下に機能Ｄといったように４つの機能が４方向に表示されている。
【００２９】
ユーザは、このメニュー表示により、次にどの方向をタッチ入力すれば、所望の機能を選択できるかを認識する。
【００３０】
次に、一定時間内にタッチ入力があるか否かを判定する（Ｓ１０６）。具体的には、タッチスイッチ２１によって先の接触位置（第１の接触位置）が検出されてからの時間をカウントしており、一定時間（例えば、５秒）以内に次の接触位置（第２の接触位置）が検出されたか否かに基づいて、一定時間内にタッチ入力があるか否かを判定する。
【００３１】
ユーザが一定時間内に次のタッチ入力を実施しない場合、すなわち、一定時間内に次の接触位置（第２の接触位置）が検出されない場合、Ｓ１０６の判定はＮＯとなり、Ｓ１００へ戻る。
【００３２】
これにより、待機状態に遷移し、図３（ａ）に示した待機画面が表示デバイス１０の表示画面に表示され、メモリに記憶された基準点の座標は消去される。
【００３３】
また、ユーザがメニュー表示に従って、一定時間内に所望の機能を選択する操作方向へタッチ入力した場合、すなわち、一定時間内に次の接触位置（第２の接触位置）が検出された場合、Ｓ１０６の判定はＹＥＳとなり、次に、基準点に対するタッチスイッチ２１の操作面への相対位置（Ｘ、Ｙ）を算出する（Ｓ１０８）。
【００３４】
メニュー表示の後にタッチスイッチ２１によって検出された接触位置（第２の接触位置）の座標を（Ｘ１、Ｙ１）、メモリに記憶された基準点（第１の接触位置）の座標を（Ｘ０、Ｙ０）とすると、基準点に対するタッチスイッチ２１の操作面への相対位置（Ｘ、Ｙ）は、（Ｘ、Ｙ）＝（Ｘ１−Ｘ０、Ｙ１―Ｙ０）として算出することができる。
【００３５】
次に、算出された相対位置（Ｘ、Ｙ）に基づいて操作方向を確定する（Ｓ１１０）。相対位置（Ｘ、Ｙ）が、（負、正）の場合には左上方向（機能Ａを示した方向）、（正、正）の場合には右上方向（機能Ｂを示した方向）、（負、負）の場合には左下方向（機能Ｃを示した方向）、（正、負）の場合には右下方向（機能Ｄを示した方向）として、操作方向を確定する。
【００３６】
次に、確定した操作方向に対応する機能を選択する（Ｓ１１２）。ここでは、図３（ｃ）に示すように、ユーザがメニュー表示に従い、機能Ｂを選択するために基準点よりも右上の方向をタッチ入力したものとして説明する。
【００３７】
ユーザによって基準点よりも右上の方向がタッチ入力されると、相対位置（Ｘ、Ｙ）は（正、正）となり、操作方向は右上の方向と確定され、右上の方向に対応する機能Ｂを選択する。
【００３８】
次に、選択した機能に関連付けられた処理を実施する（Ｓ１１４）。ここでは、機能Ｂに「詳細メニュー表示」が関連付けられているものとして説明する。
【００３９】
このように、機能Ｂに詳細メニューを表示する処理の関連付けがなされている場合、機能Ｂの詳細メニュー表示を行う。
【００４０】
図３（ｄ）は、機能Ｂの詳細メニュー表示の表示例を示したもので、表示デバイス１０の表示画面の中央を基準として、左上に機能Ｂ１、右上に機能Ｂ２、左下に機能Ｂ３、右下に機能Ｂ４といったように４つの機能が４方向に表示されている。
【００４１】
次に、Ｓ１０６と同様に、一定時間内にタッチ入力があるか否かを判定する（Ｓ１１６）。具体的には、Ｓ１０６にて第２の接触位置が検出されてから、一定時間（例えば、５秒）以内に次の接触位置が検出されたか否かに基づいて、一定時間内にタッチ入力があるか否かを判定する。
【００４２】
ユーザが一定時間内に次のタッチ入力を実施しない場合、すなわち、一定時間内に次の接触位置（第２の接触位置）が検出されない場合、Ｓ１１６の判定はＮＯとなり、Ｓ１００へ戻る。
【００４３】
したがって、待機状態に遷移し、表示デバイス１０の表示画面に待機画面が表示され、メモリに記憶された基準点の座標は消去される。
【００４４】
また、ユーザがメニュー表示に従って、一定時間内に所望の機能を選択する操作方向へタッチ入力した場合、Ｓ１１６の判定はＹＥＳとなり、次に、Ｓ１０８と同様に、基準点に対するタッチスイッチ２１の操作面への相対位置（Ｘ、Ｙ）を算出する（Ｓ１１８）。
【００４５】
次に、算出された相対位置（Ｘ、Ｙ）に基づいて操作方向を確定し（Ｓ１２０）、確定した操作方向に対応する機能を選択する（Ｓ１２２）。
【００４６】
ここでは、図３（ｅ）に示すように、ユーザがメニュー表示に従い、機能Ｂ４を選択するために基準点よりも右下をタッチ入力するものとして説明する。
【００４７】
ユーザが基準点よりも右下をタッチ入力すると、相対位置（Ｘ、Ｙ）は（正、負）となり、操作方向は右下方向と確定され、右下方向に対応する機能Ｂ４を選択する。
【００４８】
次に、選択した機能に関連付けられた処理を実施する（Ｓ１２４）。例えば、機能Ｂ４に「ライト点灯」が関連付けられている場合、図示しないライト制御部にライトの点灯を指示し、Ｓ１００へ戻る。
【００４９】
したがって、待機状態に遷移し、表示デバイス１０の表示画面に図３（ａ）に示した待機画面が表示され、メモリに記憶された基準点の座標は消去される。
【００５０】
上記したように、第１の接触位置が検出されたときに、表示デバイス１０の表示部に機能を選択するための操作方向を示す情報が表示されるので、ユーザは操作面を視認することなく所望の機能を選択するための操作方向を認識することができる。また、第１の接触位置が基準点としてメモリに記憶され、メモリに記憶された基準点と表示デバイス１０への表示の後にタッチスイッチ２１によって検出される第２の接触位置から操作方向が確定され、確定された操作方向に対応する機能が選択されるので、ユーザは操作面を視認することなく表示デバイス１０の表示部の表示に従って操作面上で基準点を基準として所望の機能を選択するための操作方向を接触操作して、所望の機能を選択することができる。
【００５１】
また、表示デバイス１０の表示画面の中央を基準位置として、機能を選択するための操作方向を示す情報が表示されるので、接触位置が操作面のどの位置であっても、表示デバイス１０の表示画面の中央を基準位置として機能を選択するための操作方向を示す情報が表示される。すなわち、ユーザが操作面の中央を意識して操作しなくても、表示デバイス１０の表示画面の中央を基準位置として機能を選択するための操作方向を示す情報を表示させることができる。
【００５２】
また、第１の接触位置が検出されてから一定時間内に第２の接触位置が検出されない場合、待機状態に遷移するので、例えば、機能を選択するための操作方向を示す情報が表示デバイス１０の表示画面に表示された状態で、ユーザが操作を中断したくなった場合には、一定時間よりも長い時間、次の接触操作を行わないようにして、操作を中断させることができる。
【００５３】
また、表示デバイス１０は車両における運転者の前方に設置されるので、運転者の運転中の視線移動量を少なくすることができる。
【００５４】
また、タッチスイッチ２１は車両における運転者の操作が容易な位置に設置されるので、運転者は容易に操作を行うことができ、運転に集中することができる。
【００５５】
（第２実施形態）
本実施形態に係る入力装置の構成は、図１に示した構成と同じであり、操作デバイス２０の制御部の処理が異なる。以下、上記実施形態と同一部分には同一符号を付して説明を省略し、相違点を中心に説明する。
【００５６】
第１実施形態における操作デバイス２０の制御部は、基準点を変更することなくユーザのタッチ入力に応じた処理を実施する例を示したが、本実施形態では、ユーザのタッチスイッチ２１へのタッチ入力に応じて基準点を変更して、ユーザの操作に応じた処理を実施する。
【００５７】
図４に、本実施形態に係る操作デバイス２０の制御部の処理を示す。
【００５８】
操作デバイス２０の制御部は、待機状態にてタッチスイッチ２１によって最初に検出された接触位置（第１の接触位置）を基準点１としてメモリに記憶させ（Ｓ１０２）、基準点１とメニュー表示に従って機能を選択するために接触された接触位置（第２の接触位置）から相対位置（Ｘ、Ｙ）を算出する（Ｓ１０８）。
【００５９】
本実施形態では、Ｓ１１３にて、この機能を選択するために接触された接触位置（第２の接触位置）を基準点（基準点２）に再設定する。具体的には、メモリに記憶された基準点１を消去し、第２の接触位置を基準点２としてメモリに記憶させる。
【００６０】
このように、ユーザのタッチスイッチ２１へのタッチ入力に応じて基準点が変更される。
【００６１】
そして、Ｓ１１８では、Ｓ１１３にて再設定された基準点（基準点２）に対するタッチスイッチ２１の操作面への相対位置（Ｘ、Ｙ）を算出する。
【００６２】
このように、表示デバイス１０への表示の後にタッチスイッチ２１によって検出される第２の接触位置が基準点に再設定され、再設定された基準点（基準点２）に対するタッチスイッチ２１の操作面への相対位置（Ｘ、Ｙ）が算出される。したがって、ユーザは再設定された基準点を基準として次の接触操作を行うことができる。
【００６３】
（第３実施形態）
本実施形態に係る操作デバイス２０の制御部の処理を図５に示す。上記第１実施形態では、タッチ入力によって入力操作を実施する例を示したが、本実施形態では、ドラッグ入力によって入力操作を実施する。なお、本実施形態におけるドラッグ入力は、上述したように、操作面へ指を接触させた後、指を操作面に接触させたまま別の位置まで移動させ、この移動させた位置で操作面から指を離してクリック操作する一連の操作をいう。
【００６４】
操作デバイス２０の制御部は、待機状態にてタッチスイッチ２１によって最初に検出された接触位置（第１の接触位置）を基準点１としてメモリに記憶させ（Ｓ１０２）、表示デバイス１０の表示画面に機能のメニュー表示を表示させる（Ｓ１０４）。
【００６５】
したがって、ユーザが操作面を指で触れたままの状態で、表示デバイス１０の表示画面に機能のメニュー表示が表示される。
【００６６】
また、本実施形態では、Ｓ１０７にて、操作面への接触が検出されてから、一定時間以内にクリック操作が検出されたか否かに基づいて、一定時間（例えば、５秒）内にドラッグ入力が完了したか否かを判定する。
【００６７】
ユーザが操作面へ指を接触させてから、一定時間以内に指を操作面に接触させたまま移動させ、この移動させた位置で操作面から指を離してクリック操作すると、Ｓ１０７の判定はＹＥＳとなり、Ｓ１０８へ進む。
【００６８】
例えば、図３（ｃ）に示したように、ユーザがメニュー表示に従い、操作面へ指を接触させてから、一定時間以内に基準点よりも右上へ指を移動させ、この移動させた位置でクリック操作すると、クリック操作された接触位置を第２の接触位置として相対井位置が算出される（Ｓ１０８）。
【００６９】
そして、Ｓ１１０、Ｓ１１２にて、算出した相対位置に基づいて操作方向は右上の方向と確定され、右上の方向に対応する機能Ｂが選択される。
【００７０】
更に、ユーザがメニュー表示に従い、クリック操作してから、一定時間以内に図３（ｅ）に示したように、基準点よりも右下へ指を移動させ、この移動させた位置でクリック操作すると、Ｓ１１７の判定はＹＥＳとなり、クリック操作された接触位置を第２の接触位置として相対井位置が算出される（Ｓ１１８）。
【００７１】
そして、Ｓ１２０、Ｓ１２２にて、算出した相対位置に基づいて操作方向は右下の方向と確定され、右下の方向に対応する機能Ｂ４が選択される。
【００７２】
このように、ドラッグ入力による入力操作に応じて所望の機能を選択操作することもできる。
【００７３】
（第４実施形態）
本実施形態に係る操作デバイス２０の制御部の処理を図６に示す。本実施形態では、Ｓ１０７、Ｓ１１７にて、操作面への接触が検出されてから、一定時間以内にクリック操作が検出されたか否かに基づいて、一定時間（例えば、５秒）内にドラッグ入力が完了したか否かを判定する。また、本実施形態では、Ｓ１１３にて、第２の接触位置を基準点（基準点２）に再設定する。
【００７４】
このように、本実施形態では、ユーザのタッチスイッチ２１への操作に応じて基準点を変更するとともに、ドラッグ入力による選択操作を実施する。
【００７５】
ユーザが待機状態にてタッチスイッチ２１の操作面を指で触ると、表示デバイス１０の表示画面に、図３（ｂ）に示したメニュー表示が表示され（Ｓ１０４）、操作面へ指を接触させてから、一定時間以内に指を操作面に接触させたまま基準点よりも右上の方向へ移動させ、この移動させた位置で操作面から指を離してクリック操作すると、Ｓ１０７の判定はＹＥＳとなり、図３（ｄ）示したような機能Ｂの詳細メニューが表示される。
【００７６】
また、Ｓ１１３にて、第２の接触位置を基準点（基準点２）に再設定され、ユーザは、クリック操作した位置を基準として次の操作を行う。
【００７７】
例えば、ユーザが操作面のクリックした位置を基準として、一定時間以内に指を操作面に接触させたまま右下の方向に移動させ、この移動させた位置で操作面から指を離してクリック操作すると、Ｓ１２０にて操作方向は右下と確定され、右下の方向に対応する機能Ｂ４が選択される。
【００７８】
このように、ユーザのタッチスイッチ２１への操作に応じて基準点が変更され、ユーザは変更された基準点を基準として、ドラッグ入力による次の操作を行う。
【００７９】
（その他の実施形態）
上記実施形態では、表示デバイス１０と操作デバイス２０との間を接続する接続ケーブルを介してデータのやりとりを行う例を示したが、例えば、無線通信によりデータのやりとりを行うようにしてもよい。
【００８０】
また、上記実施形態では、Ｓ１０２にて接触位置を示す座標を基準点に設定した後に、Ｓ１０４にて機能のメニュー表示を実施する例を示したが、Ｓ１０４にて機能のメニュー表示を実施した後に、Ｓ１０２にて接触位置を示す座標を基準点に設定するようにしてもよい。また、Ｓ１１３にて接触位置を示す座標を基準点２に設定した後に、Ｓ１１４にて機能のメニュー表示を実施する例を示したが、Ｓ１１４にて機能のメニュー表示を実施した後に、Ｓ１１３にて接触位置を示す座標を基準点２に設定するようにしてもよい。
【００８１】
また、上記実施形態では、液晶またはプラズマ等の表示画面を有するディスプレイを表示デバイス１０に適用した例を示したが、これらのディスプレイに限定されるものではなく、例えば、プロジェクタを用いてスクリーンに画像を投影させるプロジェクタ装置やヘッドアップディスプレイを表示デバイス１０に適用してもよい。
【００８２】
また、上記実施形態において、図２、図４〜６に示したフローチャートは、図３（ｂ）に示されたメニュー表示に従って機能Ｂが選択され、更に、図３（ｄ）に示された機能Ｂの詳細メニューに従って機能Ｂ４が選択されたことにより、機能Ｂ４と関連付けられた処理を実施する場合の処理を例示したものであり、本発明の制御部の処理としてはこのような処理に限定されるものではなく、例えば、３層、４層といったような多数の階層化されたメニュー表示を表示させ、表示されたメニュー表示に従って選択された各種機能を実施する構成としてもよい。
【００８３】
また、上記実施形態では、運転者が手元で操作できるように車両の運転席横のセンターコンソールに操作デバイス２０が設置された例を示したが、例えば、運転席のドアパネルアームレスト（図示せず）上に設置されてもよく、図７に示すように、ステアリング３０に設置されてもよい。
【００８４】
また、上記実施形態では、運転者の視線移動が少なくなるようにフロントガラスの手前に表示デバイス１０が設置された例を示したが、必ずしもフロントガラスの手前に設置される必要はない。
【００８５】
また、上記実施形態では、図２、図４〜６に示した処理を実施する制御部を操作デバイス２０側に備えた例を示したが、表示デバイス１０側に備えた構成としてもよい。
【００８６】
また、上記実施形態では、機能を選択するための操作方向を示す情報として、例えば、図２（ａ）に示したように表示画面の中心を基準として表示画面の左上、右上、左下、右下の４方向に各機能を示すメニュー表示を表示させる例を示したが、この表示は一例であり、例えば、複数の機能を２方向、６方向、８方向といったように各方向に表示させてもよく、また、例えば、「機能Ａ：左上」、「機能Ｂ：右上」、「機能Ｃ：左下」、「機能Ｄ：右下」といったように文字により表示してもよい。
【００８７】
また、上記実施形態では、タッチ入力とドラッグ入力による入力操作を分けて説明したが、タッチ入力とドラッグ入力のいずれの入力方法によっても機能選択できるように構成してもよい。
【００８８】
また、上記実施形態では、入力装置１が車両に搭載されるものとして示したが、必ずしも車両に搭載されるものである必要はなく、例えば、航空機、船舶等に搭載されるものであってもよい。また、家庭用ＰＣ（パーソナルコンピュータ）、ゲーム機等に用いられてもよい。
【００８９】
なお、上記実施形態における構成と特許請求の範囲の構成との対応関係について説明すると、タッチスイッチ２１が入力検出装置に相当し、表示デバイス１０が表示装置に相当し、Ｓ１０４およびＳ１１４が表示制御手段に相当し、Ｓ１００が待機状態遷移手段に相当し、Ｓ１０２が基準点設定手段に相当し、操作デバイス２０のメモリが記憶手段に相当し、Ｓ１０８、Ｓ１１０、Ｓ１１２、Ｓ１１８、Ｓ１２０、Ｓ１２２が機能選択手段に相当し、Ｓ１１３が基準点再設定手段に相当し、Ｓ１０６、１０７、Ｓ１１６、Ｓ１１７が時間判定手段に相当する。
【図面の簡単な説明】
【００９０】
【図１】本発明に係る入力装置の構成を示す図である。
【図２】本発明の第１実施形態に係る操作デバイスの制御部の処理を示すフローチャートである。
【図３】（ａ）〜（ｄ）は、タッチスイッチへの操作と表示デバイスの表示画面の表示について説明するための図である。
【図４】本発明の第２実施形態に係る操作デバイスの制御部の処理を示すフローチャートである。
【図５】本発明の第３実施形態に係る操作デバイスの制御部の処理を示すフローチャートである。
【図６】本発明の第４実施形態に係る操作デバイスの制御部の処理を示すフローチャートである。
【図７】操作デバイスの設置位置についての変形例を示す図である。
【符号の説明】
【００９１】
１…入力装置、１０…表示デバイス、２０…操作デバイス、２１…タッチスイッチ。 
【図１】
2008009596.tif 000003
【図２】
2008009596.tif 000004
【図３】
2008009596.tif 000005
【図４】
2008009596.tif 000006
【図５】
2008009596.tif 000007
【図６】
2008009596.tif 000008
【図７】
2008009596.tif 000009